(57)【要約】【課題】本体からの排気排出風速を低減し、掃除面上の塵埃吹き飛ばしを防止して使い勝手の良い電気掃除機を提供することを目的とする。【解決手段】電動送風機より発せられた排気は、本体７後面および前記本体７の側面より前記本体７の略後方に大気中に排出されてなるもので、本体７の後部を有効に用いて充分大きい排気面積を確保し、排気風速を低減する。吸引風を発する電動送風機を内蔵する掃除機本体と、前記電動送風機に連通し塵埃を吸引する吸込具３とを備え、前記電動送風機より発せられた排気を、前記本体７後面および前記本体７の側面より前記本体７の略後方に大気中に排出させてなる。【選択図】  図５
2004154213.tif 000002
【特許請求の範囲】
【請求項１】
吸引風を発する電動送風機を内蔵する掃除機本体と、前記電動送風機に連通し塵埃を吸引する吸込具とを備え、前記電動送風機より発せられた排気を、前記本体後面および前記本体の側面より前記本体の略後方に大気中に排出させてなる電気掃除機。
【請求項２】
電動送風機の吸気上流側に塵埃を捕集する集塵室を本体内に備え、前記集塵室後方の本体の側面に排気排出口を形成してなる請求項１記載の電気掃除機。
【請求項３】
本体の後方側面に本体移動用の車輪を配置し、本体側面の排気排出口を、前記車輪の上方に設けてなる請求項１または２記載の電気掃除機。
【請求項４】
本体の側面に排気口蓋を設け、前記排気口蓋に排気排出口を形成してなる請求項１〜３のいずれか１項に記載の電気掃除機。
【請求項５】
排気口蓋に形成された排気排出口を、本体の斜め後方に向かって形成してなる請求項４記載の電気掃除機。
【請求項６】
排気排出口を形成する壁面の肉厚を０．５〜１．５ｍｍとし、前記排気排出口を形成する壁面の内面に、排気を本体の後方の排出するための整流ガイドを形成してなる請求項１〜５のいずれか１項に記載の電気掃除機。
【請求項７】
排気を、本体の略後方方向でかつ斜め上方に大気中に排出させてなる請求項１〜６のいずれか１項に記載の電気掃除機。
【請求項８】
本体上面に本体運搬用のハンドルを有し、前記ハンドルの前後方向の中央より後方の本体側面に、排気排出口を形成してなる請求項１〜７のいずれか１項に記載の電気掃除機。
【請求項９】
電動送風機と略並列に配置され電源コードを収容するコードリールを収納したコードリール収納室を備え、前記コードリール収納室を経由して本体側面に形成された排気排出口より、排気を大気中に排出させてなる請求項１〜７のいずれか１項に記載の電気掃除機。
【請求項１０】
本体側面に一対の排気排出口を形成するとともに、コードリール収納室側の排気排出口を覆うフィルターの圧力損失を、逆側の排気排出口を覆うフィルターより小さくしてなる請求項９記載の電気掃除機。
【請求項１１】
コードリール収納室側の排気排出口の樹脂成型用抜き勾配を逆側のものより小さくしてなる請求項９記載の電気掃除機。
【発明の詳細な説明】
【０００１】
【発明の属する技術分野】
本発明は、床移動型の電気掃除機の排気の排出方法に関するものである。
【０００２】
【従来の技術】
従来、この種の電気掃除機の本体からの排気排出は、本体の後面に設けた排気格子部より後方に排出するものが一般的であった（例えば、特許文献１参照。）。
【０００３】
また、本体の側面から排出する構成のもの（例えば、特許文献２参照。）や、本体の上面から排出するものもあった（例えば、特許文献３参照。）。
【０００４】
【特許文献１】
実開昭６３−６８９５３号公報（第２図）
【特許文献２】
実開平４−５２８３８号公報（第１図、第３図）
【特許文献３】
実開昭６１−１３２９５０号公報（第４貢、第１図）
【０００５】
【発明が解決しようとする課題】
ところがこのような電気掃除機にあっては、いずれの場合においても排気排出部の総面積が限定されて結果的に充分大きくできないために、排気風速が大きくなり、電気掃除機本体周辺に位置する人に排気が当たって不快感を与えたり、また掃除面上にある塵埃を吹き飛ばすなどの不具合を発生する。
【０００６】
また、本体上面から上方に排出するものでは、スカート姿の女性が使用するとき、足に排気の熱風を直接受けることが起こり、使い勝手が良いとはいえない。
【０００７】
さらに、本体側面から排出するものでは斜め後方に排出させる構成ではあるが、本体の上面中央部に設けられている運搬用のハンドルを持って、例えば階段掃除をする時などでは、排気の熱風を直接身体や足に受けることとなり、非常に不快なものとなる。
【０００８】
本発明は上記課題を解消して、使い勝手の良い電気掃除機を提供することを目的とする。
【０００９】
【課題を解決するための手段】
上記目的を達成するために本発明は、吸引風を発する電動送風機を内蔵する掃除機本体と、前記電動送風機に連通し塵埃を吸引する吸込具とを備え、前記電動送風機より発せられた排気は、前記本体後面および前記本体の側面より前記本体の略後方に大気中に排出されてなるもので、本体の後部を有効に用いて充分大きい排気面積を確保し、排気風速を低減して使用感を向上できるものである。
【００１０】
【発明の実施の形態】
本発明の請求項１記載の発明は、吸引風を発する電動送風機を内蔵する掃除機本体と、前記電動送風機に連通し塵埃を吸引する吸込具とを備え、前記電動送風機より発せられた排気は、前記本体後面および前記本体の側面より前記本体の略後方に大気中に排出されてなるもので、本体の後部を有効に用いて充分大きい排気面積を確保し、排気風速を低減して使用感を向上できるものである。
【００１１】
本発明の請求項２記載の発明は、電動送風機の吸気上流側に塵埃を捕集する集塵室を本体内に備え、前記集塵室後方の本体の側面に排気排出口を形成してなるもので、集塵室の配置部分を確保しつつ、本体の後部を有効に用いて充分大きい排気面積を確保し、排気風速を低減して使用感を向上できるものである。
【００１２】
本発明の請求項３記載の発明は、本体の後方側面に本体移動用の車輪を配置し、本体側面の排気排出口を、前記車輪の上方に設けてなるもので、側面からの排気排出位置を本体上方に位置させ、排気による掃除面上の軽い塵埃の吹き飛ばしを防ぐものである。
【００１３】
本発明の請求項４記載の発明は、本体の側面に排気口蓋を設け、前記排気口蓋に排気排出口を形成してなるもので、排気排出口を容易に形成できると共に、排気口蓋によって外郭デザインにアクセントをつけ、商品性を高められるものである。
【００１４】
本発明の請求項５記載の発明は、排気口蓋に形成された排気排出口を、本体の斜め後方に向かって形成してなるもので、容易に排気排出方向を本体後方に制限できるものである。
【００１５】
本発明の請求項６記載の発明は、排気排出口を形成する壁面の肉厚を０．５〜１．５ｍｍとし、前記排気排出口を形成する壁面の内面に、排気を本体の後方の排出するための整流ガイドを形成してなるもので、左右分割の単純金型構造で本体後方への排気排出を達成し、製品価格のアップを抑制できるものである。
【００１６】
本発明の請求項７記載の発明は、排気を、本体の略後方方向でかつ斜め上方に大気中に排出させてなるもので、掃除面上の軽い塵埃の排気による吹き飛ばしを完全に防止できるものである。
【００１７】
本発明の請求項８記載の発明は、本体上面に本体運搬用のハンドルを有し、前記ハンドルの前後方向の中央より後方の本体側面に、排気排出口を形成してなるもので、ハンドルを持って本体を持ち上げた状態で掃除を行なう際にも、排気の熱風を身体に受けることが起こらず、良好な使用を行なえるものである。
【００１８】
本発明の請求項９記載の発明は、電動送風機と略並列に配置され電源コードを収容するコードリールを収納したコードリール収納室を備え、前記コードリール収納室を経由して本体側面に形成された排気排出口より、排気を大気中に排出させてなるもので、電源コードを冷却するための排気が集中してコード出口から排出されることを防止できる。
【００１９】
本発明の請求項１０記載の発明は、本体側面に一対の排気排出口を形成するとともに、コードリール収納室側の排気排出口を覆うフィルターの圧力損失を、逆側の排気排出口を覆うフィルターより小さくしてなるもので、本体両側面から排出される排気風速をほぼ同一にできるものである。
【００２０】
本発明の請求項１１記載の発明は、コードリール収納室側の排気排出口の樹脂成型用抜き勾配を逆側のものより小さくしてなるもので、コードリール収納室側の排気排出口の有効通路面積を拡大し、同側の通路圧力損失を低減し、本体両側面から排出される排気風速をほぼ同一にできるものである。
【００２１】
【実施例】
（実施例１）
以下、本発明の第１の実施例について図を用いて説明する。
【００２２】
図１において、電気掃除機１は延長管２に取り付けた塵埃を吸引する吸込具３を有し、該延長管２は手元ハンドル４とホース継ぎ手５付きのホース６とを介して掃除機本体７（以下、本体７とする）に連結されている。本体７は、底面に枢支された１個の前輪キャスター８と、本体７の後部両側面に回転自在に取り着けた一対の後輪９とを備えている。
【００２３】
図２〜図５に示すように、本体７の内部前方には紙袋１０を収容する集塵室１１が形成され、上本体１２に回動自在に軸止された上蓋１３で開閉自在に覆われている。集塵室１１の前方部には紙袋１０に固着した厚紙製の支持板１４に密着した吸気口弁１５を挟持して前蓋１６が取り付けられている。前蓋１６の略中央には吸気口１６ａが集塵室１１に連通して一体に形成され、ホース継手５を着脱自在に接続する。
【００２４】
集塵室１１の後方には隔壁１７にて集塵室１１と前後に区画された電動送風機室１８、コードリール室１９が並列に形成されている。前記電動送風機室１８とコードリール室１９は後輪９を取り付けた下本体２０と上本体１２とリヤカバー２１とで外郭を構成されている。電動送風機室１８には吸引風を発する電動送風機２２が収容されている。２３、２４は電動送風機２２の前後に取り付けた前支持ゴムと後支持ゴムで、電動送風室１８内で電動送風機２２の振動の本体７への伝播を押さえつつ保持している。隔壁１７の電動送風機２２前方には通気孔２５が形成されていて、電動送風機２２と、前記電動送風機２２の吸気上流側に設けられた集塵室１１とを連通させている。
【００２５】
２６は制御基盤２７を収容した基盤保持ケースで電動送風機２２に固定されている。上モーターカバー２８と下モーターカバー２９は前支持ゴム２３と後支持ゴム２４を介して電動送風機２２を上下に挟持しつつ、上本体１２と下本体２０にて挟持されている。
【００２６】
コードリール室１９内には、コード隔壁３０に回転自在に保持されたコードリール３１が電源コード３２を巻き取り自在に収容している。コード隔壁３０には所定位置に通孔３３が形成されていて、電動送風機室１８とコードリール室１９を連通している。
【００２７】
上本体１２の両側面かつ集塵室１１を覆う上蓋１３の後方で、一対の後輪９の上方には、右横蓋３４と左横蓋３５が固定されていて、左右対称に直径約２ｍｍで数十個数の右排気孔３６、左排気孔３７が斜め後方方向に向かって開口するように形成されている。また右排気孔３６は直接に、そして左排気孔３７はコードリール室１９を介して電動送風機室１８に連通している。
【００２８】
３８は上本体１２とハンドルカバー３９で後部を軸止され、前端部は本体７に対して所定範囲で上下動自在に上本体１２に保持されたハンドルで、このハンドル３８を手で持って本体７を運搬移動できる。そしてハンドル３８の握り部の前後方向の中央は、右排気孔３６ならびに左排気孔３７の最前部より前方に位置するように構成してある。
【００２９】
本体７の後面開口に着脱自在に取り付けられたリヤカバー２１は、ハニカム状の格子リブ４０を形成したカバー枠４１を、本体７の外周方向から低圧損の繊維生地でできた繊維カバー４２で覆ったもので、リヤカバー２１のほぼ全面を排気通路面としている。
【００３０】
４３は集塵室１１を構成する下本体２０の隔壁１７より前側の上端部に装着されたバンパーで、集塵室１１の気密性を確保すると共に、掃除機使用中に、本体７と家具や壁との接触時の衝撃を緩衝する。
【００３１】
電動送風機２２によって吸引される気流は、電動送風機２２の吸気側と排気側そして本体７の排気出口に配置されたフィルターでより清浄化される。すなわち通気孔２５の前方には吸気フィルター４４が着脱自在に装着されていて、紙袋１０の交換の時などに、集塵室１１内に落下した塵埃が電動送風機２２に吸引されることを防いでいる。また、排気側には下モーターカバー２９の底面開口部に排気フィルター４５が貼着されていて、電動送風機２２を通過する気流を清浄化すると同時に電動送風機２２の運転音を低減している。４６、４７は右横蓋３４、左横蓋３５に貼着されたフィルターＡ、フィルターＢで、右排気孔３６と左排気孔３７から排出される排気風速を調節するとともに、電動送風機２２の運転音の遮音を行っている。フィルターＡ４６の通気抵抗はフィルターＢ４７の通気抵抗より大きく設定してある。また４８は、リヤカバー２１に星されたフィルターＣである。
【００３２】
次に、上記構成における動作、作用について説明する。
【００３３】
電動送風機２２を運転状態にすると、吸込具３から吸塵される含塵気流は、延長管２、ホース６、吸気口１６ａを経由して紙袋１０内に流入し、塵埃だけが紙袋１０で捕集され、清浄化された気流は集塵室１１、通気孔２５を通過して電動送風機２２に吸引される。電動送風機２２を通過した気流は、一部は電動送風機室２２を経由してリヤカバー２１の繊維カバー４２を通過して排出（図２の矢印（ハ）で示す経路）され、残りは右横蓋３４と左横蓋３５のそれぞれに形成した右排気孔３６、左排気孔３７より斜め後方方向に向かって排出（図３の矢印（ロ）（イ）で示す経路）される。
【００３４】
この状態では、本体７の後面と側面を有効に活用して、排気を排出するリヤカバー２１と右排気孔３６、左排気孔３７の総面積を十分大きくし、排気の排出風速を低減することができるために、従来の課題であった。
【００３５】
１  排気排出部の総面積が限定されて結果的に充分大きくできないために排気風速が大きくなり、電気掃除機中に本体７周辺に位置する人に排気を当てて不快感を与える。
【００３６】
２  掃除面上にある塵埃を吹き飛ばす。
などの不具合発生を解消する。特に本体７から排出される排気は本体７から離れるごとに徐々に分散して風速が低減するものであるが、本発明の構成では、リヤカバー２１からは本体７の後方方向に、また右排気孔３６、左排気孔３７からの排気はそれぞれ斜め後方に排出される結果、より分散して風速の低減度合いが一層大きくなるものである。
【００３７】
また、右排気孔３６、左排気孔３７をそれぞれ有する３４と左横蓋３５が、集塵室１１を覆う上蓋１３の後方に設けられているため、集塵室１１の本体７内での配置部分を確保しつつ、本体７の後部を有効に用いて充分大きい排気面積を確保し、排気風速を低減できるものである。
【００３８】
また、右排気孔３６、左排気孔３７は後輪９の上方に配置した右横蓋３４、左横蓋３５に形成しているため、本体７側面からの排気排出位置を本体７上方に位置させることができ、排出された排気が本体７から離れるにつれて排気方向が徐々に分散拡大しても、掃除面上の軽い綿埃などの吹き飛ばしも確実に防止できるものである。
【００３９】
さらに、右横蓋３４、左横蓋３５を上本体１２とは別個に形成することによって、斜め後方への排気排出を行わせる右排気孔３６ならびに左排気孔３７の射出成形を容易に行えるとともに、右横蓋３４、左横蓋３５によって外郭デザインにアクセントをつけられ、商品性の向上と製品の多様化を図れることとなる。
【００４０】
なお、本実施例では右横蓋３４、左横蓋３５により右排気孔３６、左排気孔３７を形成したが上本体１２に直接形成しても同様に外郭デザインに対するアクセント効果を得ることはできるものである。
【００４１】
また、左排気孔３７から排出される排気はコードリール室１９を経由する。この気流は本掃除機を使用中に表面温度が上昇する電源コード３２を空冷する効果を発揮するが、電源コード３２の出口は空中に連通しているため、通気抵抗がない出口から集中して勢いよく排出されがちであるが、左排気孔３７からの排出がある結果、従来に比べて風速が確実に低下し、使用性が向上するものである。
【００４２】
さらに、フィルターＢ４７の通気抵抗はフィルターＡ４６の通気抵抗より小さく設定してあるため、電動送風機室１８から直接右排気孔３６を通過して排出される排気と一旦通孔３３とコードリール室１９を介して勢いが低下した排気がほぼ同程度の排出風速となって、本体７外に排出されることとなり、全体的に同様の排気風速分布を得られることとなる。
【００４３】
加えて、本体７側面の右排気孔３６、左排気孔３７は本体７運搬用のハンドル３８中央部より後方に形成してあるため、ハンドルを持って本体を持ち上げた状態で、例えば階段掃除天井など高いところの掃除を行なう際にも、右排気孔３６、左排気孔３７から排出される排気の熱風を直接身体に受けることが起こらず、良好な使用を行なえるものである。
【００４４】
（実施例２）
次に、本発明の第２の実施例を、図６を用いて説明する。なお、第１の実施例と同一構成部品については同一符号を付してその説明を省略する。
【００４５】
左横蓋３５の左排気孔３７形成部の肉厚ｔは１ｍｍに形成している。そして左排気孔３７の直前には整流ガイド５０が左排気孔３７を囲うように傾斜して形成してある。左排気孔３７は本体７の長手方向中心線に対して直角で且つ水平線に対して約２０度斜め上方に向かって形成されている。
【００４６】
上記構成における動作、作用について説明する。
【００４７】
左排気孔３７は肉厚ｔ＝１ｍｍの面に形成しているため、左横蓋３５を形成する単純な左右分割樹脂成形で容易に形成できる。また同様に左排気孔３７を傾斜して囲う整流ガイド５０も形成できる。電動送風機２２の運転によって吸引された気流はその一部は実施例１で記載したようにコードリール室１９を経由して左排気孔３７から出ようとするが、フィルターＢ４２を通過後整流ガイド５０に最初に当たることとなり、その傾斜に案内されて本体７の後方方向に排出されることとなる。すなわち、実施例１に比較して、同じ排気の排出方向を得られる一方で単純な左右２分割の樹脂成形金型で左横蓋３５を形成できることとなり、本掃除機１の製作コストを低減できることとなる。
【００４８】
また斜め上方に向かって左排気孔３７が形成されているため、本体から離れた位置でも排気が床面上の軽い埃を吹き飛ばすことも起こさず、一層使い勝手が向上する。
【００４９】
なお、上記説明は左横蓋３５で説明したが、右横蓋３４にも対称で適用できることは申すまでもないことである。
【００５０】
（実施例３）
次に、本発明の第３の実施例を、図７を用いて説明する。なお、第１、第２の実施例と同一構成部品については同一符号を付してその説明を省略する。
【００５１】
右横蓋３４の右排気孔３６と左横蓋３５の左排気孔３７の外郭側は同じ大きさに形成されているが、左排気孔３７の樹脂成型用の抜き勾配は小さく、他方右排気孔３６の抜き勾配は大きくしてある。
【００５２】
上記の構成により、外観表面的には左右対称で違和感が生じることがない一方、抜き勾配の違いによって右排気孔３６の通気抵抗が左排気孔３７より大きくなり、結果的に実施例１で記載したと同様に、両排気口から排出される排気の風速がほぼ同一にできる効果を得られる。
【００５３】
【発明の効果】
以上説明したように本発明によれば、本体より排出される排気は、本体後面と本体の集塵室後方の側面より本体の略後方方向に排出されるものであり、本体の後部を有効に用いて充分大きい排気面積を確保し、排気風速を低減して掃除面上の塵埃吹き飛ばし防止を確実にできるとともに、本体後部側面に排気排出口を形成することにより外郭デザインにアクセントをつけ、商品性を高められるものである。
【図面の簡単な説明】
【図１】本発明の第１の実施例を示す電気掃除機の外観図
【図２】同電気掃除機の本体の中央断面図
【図３】図２における本体のＺ−Ｚ断面図
【図４】同左横蓋の水平断面図
【図５】同本体の斜め後方からの斜視図
【図６】本発明の第２の実施例を示す左横蓋の水平断面図
【図７】（ａ）本発明の第３の実施例を示す右横蓋の水平断面図
（ｂ）同左横蓋の水平断面図
【符号の説明】
１  電気掃除機
２  延長管
３  吸込具
６  ホース
７  掃除機本体
３５  左横蓋
３７  左排気孔（排気排出口）
【図１】
2004154213.tif 000003
【図２】
2004154213.tif 000004
【図３】
2004154213.tif 000005
【図４】
2004154213.tif 000006
【図５】
2004154213.tif 000007
【図６】
2004154213.tif 000008
【図７】
2004154213.tif 000009